(57)【要約】【課題】  加圧水供給経路に目詰まり等を発生させることなく安定した加圧水を供給できるようにする。【解決手段】  加圧浮上濃縮槽にスカム含有汚水を供給するとともに、加圧水を添加混合してスカムを浮上濃縮するスカム加圧浮上濃縮装置において、前記加圧水は、前記加圧浮上濃縮槽の設置されている水処理施設から発生する三次処理水を原料とする。【選択図】      図１
2005095779.tif 000002
【特許請求の範囲】
【請求項１】
加圧浮上濃縮槽にスカム含有汚水を供給するとともに、加圧水を添加混合してスカムを浮上濃縮するスカム加圧浮上濃縮装置において、
前記加圧水は、前記加圧浮上濃縮槽の設置されている水処理施設から発生する三次処理水を原料とすることを特徴とするスカム加圧浮上濃縮装置。
【請求項２】
加圧浮上濃縮槽にスカム含有汚水を供給するとともに、加圧水を添加混合してスカムを浮上濃縮するスカム加圧浮上濃縮装置において、
前記加圧水は、前記加圧浮上濃縮槽でスカムを分離した分離排水をろ過処理して得られたろ過水を原料とすることを特徴とするスカム加圧浮上濃縮装置。
【請求項３】
請求項２に記載のスカム加圧浮上濃縮装置において、ろ過処理は、所定の容量を有する貯留槽に一旦貯留された分離排水をろ過するものであることを特徴とするスカム加圧浮上濃縮装置。
【請求項４】
請求項２に記載のスカム加圧浮上濃縮装置において、ろ過処理は、分離排水をろ過して所定の容量を有する貯留槽に貯留されるものであることを特徴とするスカム加圧浮上濃縮装置。
【請求項５】
請求項２〜４のいずれかに記載のスカム加圧浮上濃縮装置において、ろ過処理は、スクリーンにより行われることを特徴とするスカム加圧浮上濃縮装置。
【発明の詳細な説明】
【技術分野】
【０００１】
本発明は、例えば、下水処理施設で発生するスカム含有汚水のスカムを加圧浮上により濃縮分離するスカム加圧浮上濃縮装置に関する。
【背景技術】
【０００２】
従来、この種のスカム加圧浮上濃縮装置は、加圧浮上濃縮槽にスカムや汚泥を含む汚水（本発明では、このような汚水を「スカム含有汚水」としている。）を供給するとともに、空気（ガス）を溶解した加圧水を添加混合し、スカムを加圧水により生成された気泡に同伴させて浮上させて濃縮し、濃縮されたスカムをスクレーパで加圧浮上分離槽外に排出するように構成されている（特許文献１参照）。
【０００３】
上記加圧水は、加圧浮上分離槽の中間位置から得られる分離排水、すなわち中間水の一部をポンプを介して再びその加圧浮上分離槽に循環させる途中、その循環水中に圧縮空気を溶解させて製造されている。このようにして製造された加圧水が加圧浮上濃縮槽内に供給されると、加圧水は常圧下におかれ、加圧浮上濃縮槽内でミクロン単位の小さな気泡が多数生成される。そして、その生成された気泡がスカムに付着してスカムを加圧浮上濃縮槽の上部へ移動させてスカムを濃縮させることができる。
【特許文献１】特開２００１−３３４２５９号公報
【発明の開示】
【発明が解決しようとする課題】
【０００４】
しかしながら、上記従来のスカム加圧浮上濃縮装置の加圧水は、加圧浮上濃縮槽の中間水を原料とするためにその中間水に含まれる夾雑物が加圧水供給経路に設けられている弁部等に付着して加圧水供給に支障を来たすおそれがあった。すなわち、加圧浮上濃縮槽に供給されるスカム含有汚水中には、木の葉や小枝等の夾雑物が存在することがあり、これら夾雑物が浮上力を得られずに中間水に混入すると、上述したような不都合が発生することがあった。
【０００５】
なお、上述のような問題点を回避するために、加圧水の原料水として上水を使用することも考えられるが、上水を使用すると、その上水の費用が嵩むだけでなく、水処理施設全体の処理負荷を高めてしまうという新たな問題が発生してしまう。なぜならば、この加圧水は、加圧浮上濃縮槽に供給されるスカム含有汚水の１５〜３０％にも及ぶので、その使用量が多くなり、費用及び処理負荷を共に増大させてしまうという新たな問題点が発生してしまう。
【０００６】
そこで、本発明は、上記欠点を解決するためになされたものであって、その目的は、水処理施設全体としての処理負荷を増大させることなく、しかも、安定して加圧水を供給することのできるスカム加圧浮上濃縮装置を提供することにある。
【課題を解決するための手段】
【０００７】
本発明に係るスカム加圧浮上濃縮装置は、上記目的を達成するために、請求項１に記載の発明は、加圧浮上濃縮槽にスカム含有汚水を供給するとともに、加圧水を添加混合してスカムを浮上濃縮するスカム加圧浮上濃縮装置において、前記加圧水は、前記加圧浮上濃縮槽の設置されている水処理施設から発生する三次処理水を原料とすることを特徴としている。
本発明に係るスカム加圧浮上濃縮装置は、上記目的を達成するために、請求項２に記載の発明は、加圧浮上濃縮槽にスカム含有汚水を供給するとともに、加圧水を添加混合してスカムを浮上濃縮するスカム加圧浮上濃縮装置において、前記加圧水は、前記加圧浮上濃縮槽でスカムを分離した分離排水をろ過処理して得られたろ過水を原料とすることを特徴としている。
本発明の請求項３に記載のスカム加圧浮上濃縮装置は、ろ過処理は、所定の容量を有する貯留槽に一旦貯留された分離排水をろ過するものであることを特徴としている。
本発明の請求項４に記載のスカム加圧浮上濃縮装置は、ろ過処理は、分離排水をろ過して所定の容量を有する貯留槽に貯留されるものであることを特徴としている。
本発明の請求項５に記載のスカム加圧浮上濃縮装置は、ろ過処理は、スクリーンにより行われることを特徴としている。
【発明の効果】
【０００８】
請求項１に記載のスカム加圧浮上濃縮装置は、加圧水は、加圧浮上濃縮槽の設置されている水処理施設から発生する三次処理水を原料とするので、水処理施設全体の処理負荷を増大させることなく、安定した加圧水を供給することができる。
請求項２に記載のスカム加圧浮上濃縮装置は、加圧水は、加圧浮上濃縮槽でスカムを分離した分離排水をろ過処理して得られたろ過水を原料とするので、加圧浮上濃縮槽の処理負荷を増大させることなく、安定した加圧水を供給することができる。
請求項３に記載のスカム加圧浮上濃縮装置は、ろ過処理は、所定の容量を有する貯留槽に一旦貯留された分離排水をろ過するので、加圧水を安定的に確保することができる。
請求項４に記載のスカム加圧浮上濃縮装置は、ろ過処理は、分離排水をろ過して所定の容量を有する貯留槽に貯留されるので、加圧水を安定的に確保することができる。
請求項５に記載のスカム加圧浮上濃縮装置は、ろ過処理は、スクリーンにより行われるので、ろ過処理を簡単な構成により実施することができる。
【発明を実施するための最良の形態】
【０００９】
以下、本発明の実施の形態を図面に基づいて説明する。図１は、一実施の形態に係るスカム加圧浮上濃縮装置の概略構成図である。図１中、１は、所定の容量及び所定の深さを有する加圧浮上濃縮槽であって、その加圧浮上濃縮槽１の中間部分には、下水処理場（本発明の水処理施設に相当している。）の沈殿池の導水渠等で収集されたスカム含有汚水が汚水供給管Ｌ1 を介して供給されるように構成されている。
【００１０】
この加圧浮上濃縮槽１の水面近くの上部には、浮上したスカムを掻寄せるための回転するチェーン２ａに所定の間隔を保って複数の掻寄板２ｂ，２ｂ…を設けて構成されたスクレーパ２と、そのスクレーパ２で掻寄せられたスカムをスカム排出トラフ１ａに排出させる複数枚（図示の例では３枚）の羽根３ａ，３ａ，３ａを有する排出機３とが設けられている。
【００１１】
図１中、Ｌ2 は分離水取出管であって、加圧浮上濃縮槽１の底面より上で、スカム含有汚水の汚水供給管Ｌ1 の位置よりも下の位置からスカムを分離した排水を取出してその加圧浮上濃縮槽１の上部に設けられている分離排水トラフ１ｂに排出できるように構成されている。そして、この分離排水トラフ１ｂには、上記スカム排出トラフ１ａの溢流壁１ａ′の高さより少し低い位置にこの分離排水トラフ１ｂ内の分離排水をオーバーフローにより沈砂池等の他の水処理箇所へ排出管Ｌ3 を介して排出できるように構成されている。したがって、この加圧浮上濃縮槽１の水位は、この排出管Ｌ3 の取付位置により決められている。
【００１２】
図１中、Ｌ4 は加圧水供給管であって、三次処理水がポンプＰを介して汚水供給管Ｌ1 に供給されるように構成されている。そして、この加圧水供給管Ｌ4 には、ポンプＰの下流側において、図示しないコンプレッサで生成された圧縮空気が供給されて、水（三次処理水）に空気（ガス）の溶解された加圧水が製造されるように構成されている。
【００１３】
スカム含有汚水量に対する加圧水量は、周知のスカム加圧浮上濃縮装置と同様に、原水（スカム含有汚水）に対して１５〜３０％用意される。ここで用いられる三次処理水は、加圧浮上濃縮槽１の設置されている下水処理場から発生したもので、したがって、下水処理場全体としての処理負荷は一定である。なお、本発明でいう三次処理水とは、例えば、丸善株式会社から平成２年４月２５日第７刷発行の「用水廃水便覧」Ｐ．６１２に示されているように、汚水をスクリーン等で固液分離して得られた一次処理水を生物学的な処理で二次処理水を得、この二次処理水をろ過等のさらに高級な処理を施して得られた処理水を指している。
【００１４】
なお、図示の例では、加圧水は、汚水供給管Ｌ1 の途中に供給されるように構成されているが、スカム含有汚水とは別に加圧水を加圧浮上濃縮槽１内に供給してもよい。しかし、図示のように汚水供給管Ｌ1 中に加圧水を供給すると、スカム含有汚水に対する加圧水の添加混合が効果的に行われるので、スカムの浮上濃縮を効率よく行える効果がある。
【００１５】
上記構成からなるスカム加圧浮上濃縮装置においては、汚水供給管Ｌ1 を介して加圧水の添加混合されたスカム含有汚水が加圧浮上濃縮槽１内に供給されると、スカム含有汚水中に溶解されていた空気（ガス）が気泡として現われ、その気泡がスカムに付着してスカムを加圧浮上濃縮槽１の上方へ移動させる。スカムは、発生する気泡により次から次へと上方へ持ち上げられてスカムの濃縮が行われる。このようにして濃縮されたスカムは、スクレーパ２及び排出機３を介してスカム排出トラフ１ａに排出される。スカム排出トラフ１ａに排出されたスカムは、図示しない脱水機や焼却炉等からなるスカム処理施設へ送られて処理される。
【００１６】
図２は、本発明に係るスカム加圧浮上濃縮装置の他の実施の形態の概略構成図である。この図２において加圧浮上濃縮槽１の構成及び作用は、上記図１の加圧浮上濃縮槽１と同様であるので、この加圧浮上濃縮槽１についての説明は省略する。なお、後述する図３及び図４の加圧浮上濃縮槽１についてもこの図２と同様である。
【００１７】
この図２に示されるスカム加圧浮上濃縮装置においては、加圧浮上濃縮槽１からの分離排水をろ過機を介してろ過処理してろ過水を得、これを加圧水の原料としているところに特徴を有している。このため、この図２においては、ろ過機１０が設けられている。このろ過機１０は、分離排水トラフ１ｂと同じ高さを有する分離排水受槽１１を有していて、この分離排水受槽１１内に分離水取出管Ｌ2 とほぼ同じ加圧浮上濃縮槽１の位置に設けられている排水管Ｌ5 を介して分離排水が導入できるように構成されている。このように、分離排水トラフ１ｂと分離排水受槽１１とが同一高さにしてあるので、加圧浮上濃縮槽１の水位調整を容易に行うことができる効果がある。
【００１８】
この分離排水受槽１１内には、目開きが数ｍｍ（例えば２ｍｍ）の本発明のスクリーンに相当するバースクリーン１２が設けられている。そして、このバースクリーン１２でろ過処理されたろ過水は、ポンプＰに供給されて加圧水が製造されるように構成されている。なお、ろ過水を得るろ過機としては、上述のバースクリーンに限らず、ドラムスクリーン等の他の形式のろ過機とすることもできる。
【００１９】
上記構成からなるスカム加圧浮上濃縮装置においては、加圧浮上濃縮槽１の分離排水をろ過処理して加圧水の原料としているので、加圧浮上濃縮槽１の処理負荷を増大させることなく、また、加圧水供給経路に目詰まり等を発生させることもなく、安定した加圧水を供給することができる。
【００２０】
図３は、本発明に係るスカム加圧浮上濃縮装置のさらに他の実施の形態の概略構成図である。この図３においては、上記図２に係るスカム加圧浮上濃縮装置と同様に、加圧浮上濃縮槽１から排出される分離排水をろ過機でろ過処理して加圧水の原料としているが、加圧水の原料を安定して確保できるようにしたことを特徴としている。このため、この図３に係るスカム加圧浮上濃縮装置においては、分離排水トラフ１ｂからの分離排水を容量の大きな貯留槽２０に収容し、常時、所定量の分離排水が確保できるように工夫されている。そして、この貯留槽２０から上記図２と同様にろ過機１０でろ過処理するように構成されている。すなわち、貯留槽２０からの分離排水をバースクリーン１２を有する分離排水受槽１１内でろ過処理し、そのろ過処理された分離排水が加圧水とされている。なお、分離排水受槽１１は、上記図２よりも下方に位置して設けられている。
【００２１】
図４は、本発明に係るスカム加圧浮上濃縮装置の他の実施の形態の概略構成図であり、上記図３と異なる点は、ろ過機１０を分離排水トラフ１ｂから排出管Ｌ3 を介して貯留槽２０に排出される途中に設けたことにある。したがって、貯留槽２０に受入れられる分離排水は、全てバースクリーン１２でろ過処理されたもので、加圧水の原料としては上記図２及び図３と同様に問題がなく、また、ここから沈砂池へ排出される分離排水もろ過処理されているので、沈砂池の負荷を低減することができる。
【図面の簡単な説明】
【００２２】
【図１】本発明の一実施の形態に係るスカム加圧浮上濃縮装置の概略構成図である。
【図２】本発明の他の形態に係るスカム加圧浮上濃縮装置の概略構成図である。
【図３】本発明の他の形態に係るスカム加圧浮上濃縮装置の概略構成図である。
【図４】本発明の他の形態に係るスカム加圧浮上濃縮装置の概略構成図である。
【符号の説明】
【００２３】
１  加圧浮上濃縮槽
１ａ  スカム排出トラフ
１ｂ  分離排水トラフ
２  スクレーパ
３  排出機
Ｐ  ポンプ
１０  ろ過機
１１  分離排水受槽
１２  スクリーン
２０  貯留槽
【図１】
2005095779.tif 000003
【図２】
2005095779.tif 000004
【図３】
2005095779.tif 000005
【図４】
2005095779.tif 000006